(57)【特許請求の範囲】
【請求項１】
医療施設又は理美容施設のいずれかで使用されるインスツルメントが載置され、このインスツルメントに接続されるインスツルメント用ホースの側から前記インスツルメントを挿入する挿入空間を含んで構成されるインスツルメント挿入部が形成されているホルダ本体と、
前記インスツルメント挿入部の前記挿入空間側である一端部において回動可能に設けられ、前記インスツルメント挿入部に挿入された前記インスツルメントの脱落防止機能を担うプレート部材と、
このプレート部材を前記インスツルメント挿入部の他端部方向に付勢して回動させる付勢部材と、
前記ホルダ本体の上面を覆い、覆った状態で前記プレート部材が前記付勢部材に付勢されて回動することを規制する規制部を備えるホルダカバーと、
前記インスツルメントが載置されたこと又は取出されたことを検知する検知装置と、
を有することを特徴とするインスツルメントホルダ。
【請求項２】
前記ホルダ本体に前記インスツルメント挿入部が複数形成されている、
ことを特徴とする請求項１に記載のインスツルメントホルダ。
【発明の詳細な説明】
【技術分野】
【０００１】
本発明は、例えば、歯科医師やそのアシスタント（以下、「歯科医師等」という。）をはじめとする各種の医師等又は、エステティシャン等の理美容施術者が使用する各種のインスツルメントを引出し可能に保持するインスツルメントホルダに関する。
【背景技術】
【０００２】
例えば、歯科医師等は一般に、エアータービン、マイクロモーター、マルチシリンジ等の種々の歯科用インスツルメントを使用して歯科治療を行う。各種の歯科用インスツルメントは通常、エアー、水、電気等を供給するホースの先端に着脱自在に接続され、インスツルメントホルダに収納又は懸架されている。歯科医師等はインスツルメントホルダから引出して、治療に必要な歯科用インスツルメントを使用することになる。
【０００３】
下記特許文献１では、横向きローラと縦向きローラとで略Ｕ字状に形成されたＵ字型インストルメントハンガーを有したインストルメントホルダに係る発明が提案されている。このインストルメントホルダは、ホルダ挿通部から歯科用インストルメントの出し入れが容易であるとともに、歯科用インストルメントに接続されたホースをあらゆる方向にスムーズに引出し、引戻しできるとされる。特に、ホルダ挿通部に検知装置を備えた当接部を設け、この当接部により歯科用インスツルメントの脱落を防止するほか、歯科用インスツルメントの有無を検知する等して誤動作等がないようにしている。
【先行技術文献】
【特許文献】
【０００４】
【特許文献１】特開平２−５９５１号公報
【発明の概要】
【発明が解決しようとする課題】
【０００５】
しかしながら、歯科用インストルメントを所定のホースに接続する作業又はインストルメントホルダに挿入してセッティングする作業等において、上記特許文献１で開示されているインストルメントホルダは問題があった。具体的には、これらの作業の際に、当接部や、Ｕ字型インストルメントハンガーを構成するローラといった部品を一度外してインストルメントホルダを再構成する必要があり、煩雑であった。
【０００６】
本発明は上記実情に鑑み提案され、例えば、構成部品を外す等の煩雑な行為をすることなく、各種のインスツルメントを所定のホースに接続する作業や、所定の挿入部に挿入してセッティングする作業等を進めることができるインスツルメントホルダを提供することを目的とする。
【課題を解決するための手段】
【０００７】
上記目的を達成するため、本発明に係るインスツルメントホルダは、医療施設又は理美容施設のいずれかで使用されるインスツルメントが載置され、このインスツルメントに接続されるインスツルメント用ホースの側から前記インスツルメントを挿入する挿入空間を含んで構成されるインスツルメント挿入部が形成されているホルダ本体と、前記インスツルメント挿入部の前記挿入空間側である一端部において回動可能に設けられ、前記インスツルメント挿入部に挿入された前記インスツルメントの脱落防止機能を担うプレート部材と、このプレート部材を前記インスツルメント挿入部の他端部方向に付勢して回動させる付勢部材と、前記ホルダ本体の上面を覆い、覆った状態で前記プレート部材が前記付勢部材に付勢されて回動することを規制する規制部を備えるホルダカバーと、前記インスツルメントが載置されたこと又は取出されたことを検知する検知装置とを有することを特徴とする。
【０００８】
また、本発明は上記インスツルメントホルダにおいて、前記ホルダ本体に前記インスツルメント挿入部が複数形成されていることを特徴とする。
【発明の効果】
【０００９】
本発明では、ホルダ本体に形成したインスツルメント挿入部の一端部において回動自在なプレート部材を有する構成としている。このプレート部材は、インスツルメントの脱落防止機能を担う。インスツルメント挿入部は、接続されるインスツルメント用ホースの側からインスツルメントを挿入する挿入空間を含んで構成されている。したがって、プレート部材を回動させることでインスツルメント挿入部の挿入空間へホースを挿入し、インスツルメントを接続することができるため、インスツルメントのセッティング等において構成部品を一度外すといった煩雑さを取り除くことができる。
【００１０】
さらに、インスツルメントをインスツルメント挿入部へ挿入した後は、検知装置及びプレート部材の脱落防止機能により、インスツルメントの誤動作や脱落といった不都合を防ぐことができる。本発明は、プレート部材が回動することを規制する規制部を備えるホルダカバーを有するので、ホルダカバーを装着した後において、プレート部材が勝手に回動するようなことがない。そうすると、検知装置による検知機能及びプレート部材の脱落防止の機能を、常に良好に維持することができる。
【００１１】
また、本発明において、ホルダ本体にインスツルメント挿入部を複数形成した構成とすることにより、多種多様なインスツルメントを一通りセッティングすることのできるインスツルメントユニットホルダが提供可能となり、便宜である。
【図面の簡単な説明】
【００１２】
【図１】本発明に係るインスツルメントユニットホルダを備えた歯科用テーブルにおいて、インスツルメントユニットホルダの全体の概略構成を上方からの斜視図で示す概略上方斜視図である。
【図２】図１で示したインスツルメントユニットホルダからホルダカバーを外して現れる構成部品を説明する概略上方斜視図である。
【図３】本発明を構成する構成部品であるホルダ本体から、インスツルメント挿入部とプレート部材とを取り出した状態で説明する説明斜視図である。
【図４】本発明を構成する構成部品であるホルダ本体から、インスツルメント挿入部とプレート部材とを取り出した状態で説明する説明斜視図であって、図３と別角度から現した説明斜視図である。
【図５】本発明を構成する構成部品であるホルダ本体から、インスツルメント挿入部とプレート部材とを取り出し、かつ、プレート部材を回動させた状態で説明する説明斜視図である。
【発明を実施するための形態】
【００１３】
以下、本発明に係るインスツルメントユニットホルダに関し、これを備えた例示である歯科用テーブルについての一実施形態を、図面を参照しつつ説明する。この実施形態は、本発明の構成を具現化した一例に過ぎず、本発明は、特許請求の範囲に記載した事項を逸脱することがなければ、種々の設計変更を行うことができる。
【００１４】
本実施形態において歯科用テーブルＴは、図１に示すように、移動のために歯科医師等が握るハンドルＨが設けられている側において、本発明に係るインスツルメントユニットホルダＡを備えて構成される。インスツルメントユニットホルダＡは、例えば、歯科において使用される歯科用インスツルメント（以下、「ハンドピース」という。）１を載置するホルダ本体２の上面を、ホルダカバー３で覆って構成されている。
【００１５】
ホルダ本体２には、ハンドピース１を載置又は挿入するインスツルメント挿入部（以下、単に「挿入部」という。）２１が複数（図１において５つ）形成されている。したがって、本発明に係るインスツルメントユニットホルダＡは、エアータービン、マイクロモーター、マルチシリンジ等の多種多様なハンドピース１を一通りセッティングすることができる。以下、インスツルメントユニットホルダＡの具体的な構成について詳述していく。
【００１６】
図２に示すように、ホルダカバー３を外すと、本発明に係るインスツルメントユニットホルダＡは、外されたホルダカバー３と、ホルダ本体２と、このホルダ本体２に設けられる挿入部２１と、ハンドピース１の脱落防止機能を担うプレート４とから構成されていることが理解される。また、ハンドピース１は、挿入部２１の一端部としての後端部側で、コネクタ１２を介してインスツルメント用ホース（以下、単に「ホース」という。）１１に接続されることが理解される。
【００１７】
ホルダ本体２は、ホルダカバー３とで矩形の筐体を構成し、図２において上面が開放された箱体の形状を有している。ホルダ本体２には、上述のとおりハンドピース１を挿入又は載置する挿入部２１が複数（図２において５つ）形成されている。
【００１８】
挿入部２１は、図３に示すように、挿入又は載置されるハンドピース１の胴体部を支持するガイドローラ２１１と、このガイドローラ２１１とで略Ｕ字を形成し、ハンドピース１の頭部付近を支持する鼓状ローラ２１２とを有する。さらに、挿入部２１において鼓状ローラ２１２と反対側となる後端部（一端部）でガイドローラ２１１に接続され、ホース１１に接続されたハンドピース１をホース１１側から挿入する挿入空間としての挿入孔を備えた被挿入部材２１３を有している。この被挿入部材２１３には、プレート４が回動自在に設けられている。また、被挿入部材２１３のプレート４が設けられる側とは反対側となる裏面には、図４に示すように、ハンドピース１が載置されたこと又は取出されたことを検知する検知装置５が設けられている。
【００１９】
挿入部２１は、図１及び図２に示すように、ホルダ本体２の矩形の収容部において、その長手方向に対して斜め方向に形成されている。略Ｕ字を形成しているガイドローラ２１１及び鼓状ローラ２１２は、ローラ（回転体）であるのでその場で回転可能である。さらに、鼓状ローラ２１２は中央部がくびれた鼓状であるので、ハンドピース１の頭部付近をくびれた中央部で支持しやすい構造となっている。これらの構成及び構造により、本発明では挿入部２１からハンドピース１をスムーズに引出し又は取出しやすく、載置もしやすいという有利な効果が得られる。
【００２０】
プレート４は、図３に示すように、野球のホームベース様の形状をし、この形状の先端部である鋭角部分にホース１１を通す切欠部４ａが形成された構造を有している。切欠部４ａは、ホース１１を通す一方、ホース１１の端部を構成しているコネクタ１２を通さず、よってハンドピース１も通さないので、ハンドピース１の脱落防止機能を果たすことができる。また、ハンドピース１の脱落防止機能は、ガイドローラ２１１と鼓状ローラ２１２とで形成する略Ｕ字の形状によっても果たされる。このほか、プレート４には、挿入部２１の他端部である前端部へ向けて被挿入部材２１３側からプレート４を付勢する付勢部材としてのスプリング４１が取り付けられている。
【００２１】
検知装置５は、図４及び図５に示すように、例えば、接触センサーであり、そのセンス部位（図示省略）が被挿入部材２１３側に設けられている。その一方で、検知装置５のセンス部位が検知する被センス部４２は、プレート４の被挿入部材２１３と対面する側に設けられている。また、被挿入部材２１３には、被センス部４２を検知装置５のセンス部位に接触可能とするための孔２１３ａが設けられている。
【００２２】
検知装置５のセンス部位が被センス部位４２をセンシングする仕組み及びその作用は以下のとおりである。すなわち、ホース１１が接続されたハンドピース１が挿入部２１に挿入又は載置されると、その自重によってプレート４が被挿入部材２１３に当接し、被センス部４２も被挿入部材２１３に設けられた孔２１３ａを通過して検知装置５のセンス部位に接触する。検知装置５はこの接触を検知し、ハンドピース１への通電を解除する。そうすると、ハンドピース１にエアー、水、電気等が供給されなくなるので、ハンドピース１はその動作を停止する。
【００２３】
また、検知装置５は、ホース１１が接続されたハンドピース１が挿入部２１から取り出されると、プレート４がスプリング４１の付勢によって挿入部２１の前端部（他端部）へ向けて回動するため、被センス部４２が検知装置５のセンス部位と接触しなくなる。検知装置５はこの非接触を検知し、ハンドピース１は動作可能状態となる。この状態で、フットコントローラー等によってハンドピース１を操作することにより、ハンドピース１にエアー、水、電気等が供給され、ハンドピース１はその動作を開始する。
【００２４】
ホルダカバー３は、図１に示すように、ホルダ本体２の上面を覆う。ホルダカバー３は覆った状態で、ホース１１との摩擦等によりプレート４が、ハンドピース１を引出す際にホース１１が引出されるのに連れて前端部方向へ回動することを規制する規制部３１を備えている。具体的には、規制部３１は、ホルダ本体２の上面を覆ったときに、ホルダ本体２に設けられた挿入部２１の後端部の被挿入部材２１３やプレート４を、覆い隠すようにして形成されている。
【００２５】
そして、ホース１１が接続されたハンドピース１が挿入部２１から取り出される場面では、ホース１１との摩擦等により、ホース１１が引出されるのに連れてプレート４が前端部へ向けて回動しようとする。しかしながら、プレート４は、ホルダカバー３の規制部３１が被挿入部材２１４を覆い隠すように形成されているので、この規制部３１に当接し、それ以上の回動が規制される。したがって、歯科医師等がハンドピース１を使用した後、ハンドピース１を挿入部２１に挿入又は載置する際に、プレート４が挿入部２１の前端部へ向けて回動していないので、プレート４を手指等で操作することなく、楽にハンドピース１を挿入部２１へ挿入又は載置することができる。また、ハンドピース１の脱落防止機能を常に良好に維持することができる。
【００２６】
一方で、ホース１１の交換等の場面では、ホルダカバー３がホルダ本体２から外されるので規制部３１が存在せず、プレート４が回動自在となる。そこで、新しいホース１１のセッティングでは、プレート４が回動自在であることを利用し、ホース１１を被挿入部材２１３の後方側から挿入部２１へ通し、ガイドローラ２１１と鼓状ローラ２１２とで形成される略Ｕ字の部分で、コネクタ１２を介してハンドピース１と接続することができる。すなわち、プレート４やガイドローラ２１１、鼓状ローラ２１２といった構成部品を外す等の煩雑な行為をすることなく新しいホース１１及びハンドピース１をセッティングすることができる。さらに、切欠部４ａにホース１１を通した後、ハンドピース１をガイドローラ２１１と鼓状ローラ２１２に載置すれば、その自重によってプレート４を被挿入部材２１３に当接させ、プレート４にハンドピース１の脱落防止機能を発揮させることができる。
【００２７】
また、ハンドピース１の自重によってプレート４を被挿入部材２１３に当接させれば、検知装置５によってハンドピース１への通電が必ず解除された状態となるので、ハンドピース１が誤動作することもない。ホルダカバー３でホルダ本体２の上面を覆うようにすれば、規制部３１によってプレート４の動きが規制されるので、検知装置５による検知機能及びプレート４の脱落防止の機能を、常に良好に維持することができる。
【００２８】
したがって、本発明に係るインスツルメントユニットホルダＡでは、ホルダ本体２に形成した挿入部２１の後端部側で回動自在なプレート４を有する構成としている。これにより、プレート４が回動自在であることを利用し、プレート４やガイドローラ２１１、鼓状ローラ２１２といった構成部品を外すことなく、ホース１１を、コネクタ１２を介してハンドピース１と接続することができ、セッティング等において煩雑な作業が必要なくなる。また、本発明は、ハンドピース１が載置されたこと又は取出されたことを検知する検知装置５を備えている。プレート４は、その切欠部４ａにホース１１を通すことで、ハンドピース１の脱落防止機能を担う。したがって、ハンドピース１を挿入部２１へ挿入又は載置した後は、検知装置５による検知機能及びその脱落防止機能により、ハンドピース１の誤動作や脱落といった不都合を防ぐことができる。
【００２９】
さらに、プレート４が回動することを規制する規制部３１を備えるホルダカバー３を有するので、ホルダカバー３を装着した後において、プレート４が勝手に回動するようなことがなく、検知装置５による検知機能及びプレート４の脱落防止機能を常に良好に維持することができる。本発明において、ホルダ本体２に挿入部２１を複数形成した構成としたので、各種のハンドピース１を一通りセッティングすることができて、便宜である。
【００３０】
ここで、歯科治療や理美容施術に臨むに際し、歯科医師等や理美容施術者にとって、各種のインスツルメントが掴みやすい角度でインスツルメントホルダに挿入又は載置されていることが好ましい。これに対応するため、本発明では、インスツルメントが挿入又は載置されているインスツルメントホルダそのものの角度を、歯科医師等や理美容施術者が自身で調整可能とする角度調整機構を備えさせることができる。
【００３１】
例えば、テーブル下面に設けられ、円弧状に伸縮するアームの先端に、インスツルメントホルダが接続された構成とする。さらに、アームの円弧状の伸縮によって描かれる円弧状軌跡から形成される仮想円の中心が、インスツルメントホルダの挿入部に挿入又は載置されているインスツルメントの頭部となる構成とする。このような構成により、歯科医師等や理美容施術者がアームの伸縮によってインスツルメントホルダの角度を変え、例えば、インスツルメントを起こした状態又は倒した状態としても、その頭部が仮想円の中心となって不動とすることができる。これにより、どんな歯科医師等や理美容施術者が歯科治療や理美容施術に臨んだとしても、掴みやすい角度に挿入又は載置されたインスツルメントを用意できるインスツルメントホルダを提供することができる。
【００３２】
以上、本発明の一実施形態を例示して説明したが、本発明は、特許請求の範囲に記載された事項を逸脱することがなければ、種々の設計変更を行うことが可能である。例えば、上記実施形態では、本発明に係るインスツルメントホルダを、歯科用テーブルに適用した例を説明した。しかしながら、歯科に限らず、様々な診療科においてインスツルメントホルダを備えたテーブル等が知られるので、本発明は、歯科に限定されないで、他の診療科においても適用することができる。さらに、インスツルメントホルダを備えたテーブル等は、エステティック等の全身の美容術で利用されるので、このような技術分野においても本発明を活用し得る可能性がある。
【００３３】
本発明を構成する部材や部品の材質は問わない。また、プレートはホームベース様のものに切欠部を形成した形状であることが必須ではなく、本発明が課題とした事項を解決可能な形状である限り、各種の形状を採用することができる。検知装置は接触センサーに限定されず、光センサーとするなど、プレートの回動動作を検知できるものであれば、各種の検知装置を採用することができる。
【符号の説明】
【００３４】
Ａ・・・・インスツルメントユニットホルダ（本発明）
１・・・・ハンドピース（インスツルメント）
１１・・・ホース（インスツルメント用ホース）
１２・・・コネクタ
２・・・・ホルダ本体
２１・・・挿入部（インスツルメント挿入部）
２１１・・ガイドローラ
２１２・・鼓状ローラ
２１３・・被挿入部材
２１３ａ・孔
３・・・・ホルダカバー
３１・・・規制部
４・・・・プレート
４ａ・・・切欠部
４１・・・スプリング
４２・・・被センス部位
５・・・・検知装置
Ｔ・・・・テーブル
Ｈ・・・・ハンドル
【図１】
0006462489.tif 000002
【図２】
0006462489.tif 000003
【図３】
0006462489.tif 000004
【図４】
0006462489.tif 000005
【図５】
0006462489.tif 000006